(57)【要約】【課題】光電変換効率が高く、しかも、低コストで容易に製造することができる太陽電池パネルを提供すること。【解決手段】波長変換光学板９に斜めの端面１１が形成されているので、波長変換光学板９内部で波長変換され集光された光は、板端面で好適に太陽電池７側に反射し、太陽電池７に入射する。そのため、太陽電池パネル１全体における光電変換効率が向上する。しかも、簡単には折れたり曲がったりしない硬質な波長変換光学板９を貼り付けた太陽電池モジュール５を配列してフレーム３に固定するので、詳しくは、上下フレーム１３、１５の間に太陽電池モジュール５を挟み、その平面方向の端部を固定部２１にて固定する構造であるので、太陽電池パネル１を低コストで容易に製造することができる。【選択図】図１
2011165756.tif 000002
【特許請求の範囲】
【請求項１】
平板状の太陽電池と太陽光の波長を変換する波長変換光学板とを用いるとともに、該波長変換光学板の板厚方向に前記太陽電池を貼り合わせて積層した太陽電池モジュールを、複数配置した板状の太陽電池パネルであって、
前記太陽電池モジュールとして、前記波長変換光学板にて波長変換された光が前記太陽電池側に入射するように、前記波長変換光学板の平面方向における端部を、該平面方向に対して斜めの端面とした太陽電池モジュールを用い、
且つ、前記複数の太陽電池モジュールを前記太陽電池パネルの平面方向に並べて配置するフレームを備えるとともに、
該フレームには、各太陽電池モジュールを所定の固定位置に配置した際に、該各太陽電池モジュールの平面方向の端部を固定する固定部を備えたことを特徴とする太陽電池パネル。
【請求項２】
前記フレームに、前記太陽電池の電極と電気的に接続される配線を備えたことを特徴とする請求項１に記載の太陽電池パネル。
【請求項３】
前記固体部は、前記波長変換光学板の斜めの端面に係合するとともに、前記太陽電池の入光側と反対側に係合する構成を備えたことを特徴とする請求項１又は２に記載の太陽電池パネル。
【請求項４】
前記固定部は、前記波長変換光学板の斜めの端面に当接する斜めの端面を備えたことを特徴とする請求項３に記載の太陽電池パネル。
【請求項５】
前記フレームは、前記波長変換光学板を入光側より固定する上部フレームと、前記太陽電池を入光側と反対側より固定する下部フレームとを有することを特徴とする請求項１〜４のいずれかに記載の太陽電池パネル。
【請求項６】
前記フレームの太陽光の入射側の表面に、前記波長変換光学板への光の入射が可能なように、補助用の波長変換光学板を配置したことを特徴とする請求項１〜５のいずれか１項に記載の太陽電池パネル。
【請求項７】
前記隣接する太陽電池モジュールの間に、太陽光を前記波長変換光学板の平面方向の端部側に反射させる反射部材を配置したことを特徴とする請求項１〜５のいずれか１項に記載の太陽電池パネル。
【請求項８】
前記フレームの前記太陽光の入射側と反対側に、冷却用のフィンを備えたことを特徴とする請求項１〜７のいずれか１項に記載の太陽電池パネル。
【請求項９】
前記フレームと前記冷却用のフィンとの間に、熱電素子を備えたことを特徴とする請求項８に記載の太陽電池パネル。
【請求項１０】
前記複数の太陽電池モジュールと該複数の太陽電池モジュールを配置する前記フレームの一部又は全体とを、透光性の保護シート又は保護板で覆ったことを特徴とする請求項１〜９のいずれか１項に記載の太陽電池パネル。
【請求項１１】
前記各太陽電気モジュールを透光性の保護シート又は保護板で覆い、該保護シート又は保護板で覆った各太陽電池モジュールを前記フレームに固定したことを特徴とする請求項１〜９のいずれかに記載の太陽電池パネル。
【発明の詳細な説明】
【技術分野】
【０００１】
この発明は、太陽電池を複数配置した太陽電池パネルに関するものである。
【背景技術】
【０００２】
太陽などの光によって発電を行う太陽電池は、光の全波長域に対して同一の発電効果をもつわけではなく、材料自体の特性によって最大効率の波長域がある程度限定される。従って、太陽電池の効率を追求する場合、どうしても利用できる波長域が狭くなる傾向がある。
【０００３】
そこで、最大効率の波長域が異なる材料の太陽電池を薄膜状にし複数層重ねることによって、利用できる波長域を広げようにした、所謂、複層太陽電池（タンデム型太陽電池）が提案されている。
【０００４】
また、（内部に蛍光物質を混入した）蛍光光学板を用いたり、蛍光色素をガラス基板に塗布した基板を用いて、光の波長変換により、発電効率の低い波長から発電効率の高い波長に変換して、太陽電池に入射させる構造の太陽電池モジュール（下記特許文献１参照）が提案されている。
【０００５】
更に、上述した波長変換が可能な光学板（波長変換光学板）の端面に太陽電池を貼り合わせ、その光学板の導波作用（全反射）によって、光学板端面の太陽電池に光を集中させる構造の太陽電池モジュール（下記特許文献２参照）が提案されている。
【０００６】
また、太陽電池は、太陽電池単体（太陽電池セル）で使用されるだけでなく、複数の太陽電池を平面方向に並べて配置した太陽電池パネルが使用されている（下記特許文献３参照）。
【０００７】
この太陽電池パネルを製造する場合には、太陽電池セルは厚みが１５０μｍ〜２００μｍと薄いので、太陽電池セルを強化ガラスの基板に貼り付け、その表面に樹脂を充填し、更にその表面を樹脂シートで覆い、それを例えばアルミニウム製のフレームに嵌め込むという作業が行われていた。
【先行技術文献】
【特許文献】
【０００８】
【特許文献１】特公平８−４１４７号公報
【特許文献２】特開昭５７−９５６７５号公報
【特許文献３】特開昭５１−１１０９８５号公報
【発明の概要】
【発明が解決しようとする課題】
【０００９】
しかしながら、太陽電池セルを用いて太陽電池パネルを製造するには、上述した様に、太陽電池セルの貼り付け、樹脂充填、樹脂シートの被覆、フレームに固定等の作業が必要であるので、作業工程が複雑化し、製造コストが増加するという問題があった。
【００１０】
本発明は、上記問題を解決するためになされたものであり、その目的は、光電変換効率が高く、しかも、低コストで容易に製造することができる太陽電池パネルを提供することである。
【課題を解決するための手段】
【００１１】
（１）請求項１の発明は、平板状の太陽電池と太陽光の波長を変換する波長変換光学板とを用いるとともに、該波長変換光学板の板厚方向に前記太陽電池を貼り合わせて積層した太陽電池モジュールを、複数配置した板状の太陽電池パネルであって、前記太陽電池モジュールとして、前記波長変換光学板にて波長変換された光が前記太陽電池側に入射するように、前記波長変換光学板の平面方向における端部を、該平面方向に対して斜めの端面とした太陽電池モジュールを用い、且つ、前記複数の太陽電池モジュールを前記太陽電池パネルの平面方向に並べて配置するフレーム（枠体）を備えるとともに、該フレームには、各太陽電池モジュールを所定の固定位置に配置した際に、該各太陽電池モジュールの平面方向の端部を固定する固定部を備えたことを特徴とする。
【００１２】
本発明では、波長変換光学板によって、特定波長域の光を別の波長の光（太陽電池における光電変換効率を上げるような光）に変換し、その変換した光を太陽電池に入射する構造を有している。
【００１３】
また、この波長変換光学板の平面方向の斜めの端面（例えば平面）は、平面方向に対して、９０°＜傾斜角θ＜１８０°の角度で傾斜するように形成されているので、波長変換光学板内部で波長変換され集光された光は、板端面で好適に太陽電池側に反射し、太陽電池に入射する。そのため、太陽電池モジュール全体、ひいては太陽電池パネル全体における光電変換効率が向上する。
【００１４】
更に、本発明では、波長変換光学板の板厚方向に例えば通常のＳｉ太陽電池を（光学接着剤等で）貼り付けるだけで、発電効率が向上する効果が出るため、製造が容易であり、製造コストも低減できる。
【００１５】
特に本発明では、従来の薄膜の太陽電池セルを貼り付けた太陽電池パネルではなく、簡単には折れたり曲がったりしない波長変換光学板（例えば厚みが1〜30ｍｍ）に太陽電池を貼り付けた太陽電池モジュールを用い、その板状の太陽電池モジュールをフレームに固定するので、詳しくは、太陽電池パネルの平面方向に沿って複数の板状の太陽電池モジュールを（太陽電池モジュール自身の平面方向を合わせて）並べて配置し、各太陽電池モジュールの平面方向の端部をフレームの固定部にて固定する構造であるので、太陽電池パネルを低コストで容易に製造することができる。
【００１６】
なお、前記太陽電池としては、例えば薄膜Ｓｉ、ＣＩＧＳ、ＣｄＴｅ、ＧａＡｓ、色素増感型、有機色素型などを用いることができる。
また、前記傾斜角θとしては、１２５°＜θ＜１４５°の範囲が好適である。
【００１７】
（２）請求項２の発明では、前記フレームに、前記太陽電池の電極と電気的に接続される配線を備えたことを特徴とする。
本発明では、フレーム（特に固定部）に配線を備えているので、太陽電池モジュールをフレームに固定する際に、太陽電池の電極とフレームの配線との電気的接続を容易に行うことができる。
【００１８】
従って、複数の太陽電池を例えば直列に接続する場合には、太陽電池モジュールを固定部に固定するだけで、固定部に形成された配線を介して各太陽電池の接続を行うことができる。これにより、組み立て製造が簡単になり、コストダウンに寄与する。
【００１９】
なお、太陽電池の電極は、フレームの配線と接続可能なように、即ちフレームに太陽電池モジュールを固定する際に、太陽電池の電極とフレームの配線が接触するように、従来より延長して（例えば波長変換光学板の平面方向の端部（端面）に露出するように）形成することが望ましい。
【００２０】
（３）請求項３の発明では、前記固体部は、前記波長変換光学板の斜めの端面に係合するとともに、前記太陽電池の入光側と反対側に係合する構成を備えたことを特徴とする。
本発明では、フレームの固定部は、波長変換光学板の斜めの端面と太陽電池の入光側と反対側（裏側）とに係合するので、即ち太陽電池モジュールを板厚方向の両側から挟み込むので、太陽電池モジュールをフレームに容易に且つ確実に固定することができる。
【００２１】
（４）請求項４の発明では、前記固定部は、前記波長変換光学板の斜めの端面に当接する斜めの端面を備えたことを特徴とする。
本発明は、固定部の構成を例示したものであり、波長変換光学板の斜めの端面と固定部の斜めに端面とが当接（例えば全面で当接：傾斜角が同じ）することにより、太陽電池モジュールを確実に固定することができる。
【００２２】
（５）請求項５の発明では、前記フレームは、前記波長変換光学板を入光側より固定する上部フレームと、前記太陽電池を入光側と反対側より固定する下部フレームとを有することを特徴とする。
【００２３】
本発明では、フレームは、上部フレームと下部フレームとを備えているので、両フレームによって太陽電池モジュールを挟むことにより、太陽電池モジュールを容易に且つ確実に固定することができる。
【００２４】
（６）請求項６の発明では、前記フレームの太陽光の入射側の表面に、前記波長変換光学板への光の入射が可能なように、補助用の波長変換光学板を配置したことを特徴とする。
【００２５】
本発明では、例えば上フレームを覆うように補助用の波長変換光学板を配置することにより、太陽光を無駄なく有効に利用することができる（即ち太陽光を利用する際の損失を少なくできる）。
【００２６】
なお、補助用の波長変換光学板の構造としては、前記平面方向に斜めの端面を有する波長変換光学板と同様な構造を採用できる。
（７）請求項７の発明では、前記隣接する太陽電池モジュールの間に、太陽光を前記波長変換光学板の平面方向の端部側に反射させる反射部材を配置したことを特徴とする。
【００２７】
本発明では、隣接する太陽電池モジュールの間のフレーム上に、例えば三角柱形状の反射部材を配置し、その斜面にて太陽光を反射させて、波長変換光学板の平面方向の端部側に太陽光を入射させるので、太陽光を無駄なく有効に利用することができる（即ち太陽光を利用する際の損失を少なくできる）。
【００２８】
（８）請求項８の発明では、前記フレームの前記太陽光の入射側と反対側に、冷却用のフィンを備えたことを特徴とする。
本発明では、フレームに冷却用のフィンを備えているので、太陽電池の熱による効率低下を抑える効果がある。
【００２９】
（９）請求項９の発明では、前記フレームと前記冷却用のフィンとの間に、熱電素子を備えたことを特徴とする。
本発明では、フレームと冷却用のフィンとの間に（熱を電気に変換する）熱電素子を備えているので、熱によっても発電を行うことができ、よって、太陽光のエネルギーを更に有効利用できる。
【００３０】
（１０）請求項１０の発明では、前記複数の太陽電池モジュールと該複数の太陽電池モジュールを配置する前記フレームの一部（例えば上フレーム）又は全体とを、透光性の保護シート又は保護板で覆ったことを特徴とする。
【００３１】
これにより、湿度の影響を抑制できるとともに、塵等の汚れを防ぐことができる。
（１１）請求項１１の発明では、前記各太陽電気モジュールを透光性の保護シート又は保護板で覆い、該保護シート又は保護板で覆った各太陽電池モジュールを前記フレームに固定したことを特徴とする。
【００３２】
これにより、湿度の影響を抑制できるとともに、塵等の汚れを防ぐことができる。
【図面の簡単な説明】
【００３３】
【図１】実施例１の太陽電池パネルを板厚方向に切断した状態（図２（ａ）のＡ−Ａ断面）を模式的に示す説明図である。
【図２】（ａ）実施例１の太陽電池パネルの平面図、（ｂ）実施例１の太陽電池パネルの底面図である。
【図３】（ａ）実施例１に用いられる太陽電池モジュールの斜視図、（ｂ）同太陽電池モジュールの平面図である。
【図４】実施例１の太陽電池の分光感度特性を示すグラフである。
【図５】（ａ）実施例２の太陽電池パネルを板厚方向に切断した状態（図２（ａ）のＢ−Ｂの位置での断面）を模式的に示す説明図、（ｂ）実施例２の太陽電池モジュールの断面の要部を拡大して示す説明図、（ｃ）実施例３の太陽電池モジュールを板厚方向に切断した状態（図２（ａ）のＡ−Ａの位置での断面）を模式的に示す説明図、（ｄ）実施例４の太陽電池モジュールを板厚方向に切断した状態（図２（ａ）のＢ−Ｂの位置での断面）を模式的に示す説明図である。
【図６】（ａ）実施例５の太陽電池パネルを板厚方向に切断した状態（図２（ａ）のＡ−Ａの位置での断面）を模式的に示す説明図、（ｂ）実施例６の太陽電池パネルを板厚方向に切断した状態（図２（ａ）のＡ−Ａの位置での断面）を模式的に示す説明図、（ｃ）実施例７の太陽電池モジュールを板厚方向に切断した状態（図２（ａ）のＡ−Ａの位置での断面）を模式的に示す説明図、（ｄ）実施例８の太陽電池モジュールを板厚方向に切断した状態（図２（ａ）のＢ−Ｂの位置での断面）を模式的に示す説明図である。
【発明を実施するための形態】
【００３４】
次に、本発明の太陽電池パネルの実施例について、いくつかの具体的な例を挙げて説明する。
【実施例１】
【００３５】
ａ）まず、本実施例の太陽電池パネルの構成について説明する。
図１及び図２に示す様に、本実施例の太陽電池パネル１は、格子状の（例えばＡＢ樹脂からなる）樹脂製のフレーム３に、複数（例えば９枚）の板状の太陽電池モジュール５を平面方向に配置して固定した板状の部材である。
【００３６】
このうち、前記太陽電池モジュール５は、図３に示す様に、平面形状が正方形の波長変換光学板９の厚み方向の一方の側（図３（ａ）下側）に、同様な平面形状が正方形の太陽電池７を、透光性を有する光学接着剤（例えば光学シリコン樹脂接着剤）で貼り合わせたものである。
【００３７】
前記太陽電池７は、縦１００ｍｍ×横１００ｍｍ×厚み２００ｎｍのＳｉ単結晶電池であり、図４に示す様な分光特性（分光感度特性）を有している。同図に示すように、この太陽電池７は、４００ｎｍ以下の紫外光領域ではほとんど発電しないことがわかる。なお、同図では、実線で分光感度特性を示し、破線で太陽光のエネルギー分布を模式的に示してある。
【００３８】
また、前記波長変換光学板９は、縦１００ｍｍ×横１００ｍｍ×厚み３ｍｍの透明で硬質な平板であり、その平面方向（板厚方向と垂直の方向）の全周の端面（４辺）１１は、太陽電池７側が広くなるように、平面方向に対して斜めに（例えば４５°傾斜して）切断されている。
【００３９】
前記波長変換光学板９は、例えばルミラスＧ９（商品名）からなり、Ｔｂ添加の蛍光ガラス（Ｂ2Ｏ3・ＣａＯ・ＳｉＯ2・Ｌａ2Ｏ3・Ｔｂ3+）から構成されている。この波長変換光学板９は、光の波長４００ｎｍ以下の紫外線領域で光を吸収し、５４５ｎｍの波長で蛍光を示す。
【００４０】
一方、前記図１及び図２に示す様に、前記フレーム３は、同一平面上にて格子状に広がる（平面形状が正方形の）部材であり、太陽電池モジュール５を図１の上下方向から挟む上フレーム１３と下フレーム１５とから構成されている。なお、この上フレーム１３と下フレーム１５とはネジ１７によって一体に固定されている。
【００４１】
前記フレーム３には、９枚の太陽電池モジュール５を、太陽電池モジュール５自身の平面方向と太陽電池パネル１の平面方向と一致させて格子状に並べて収容するために、９箇所に開口する（平面形状が正方形の）収容部１９が設けられている。
【００４２】
そして、前記フレーム３の収容部１９に面する内周部には、図１に示す様に、太陽電池モジュール５の平面方向の端部を固定するための固定部２１が設けられている。
詳しくは、上フレーム１３の収容部１９に面する内周部には、波長変換光学板９の平面方向の斜めの端面１１に全面に渡って当接するように、同じ角度で傾斜する固定部側端面２３が設けられるとともに、固定側端面２３から下方フレーム１５側に伸びる固定部側垂直面２５が設けられている。一方、下フレーム１５の収容部１９に面する内周部（その上面）には、太陽電池７の下面（入光側と反対側の裏面）の外周部分に当接するように、固定部側上面２７が設けられている。
【００４３】
従って、太陽電池モジュール５は、収容部１９において、上フレーム１３と下フレーム１５とによって挟まれる際に、太陽電池モジュール５の端部が固定部２１にて固定されることになる。
【００４４】
ｂ）次に、本実施例の太陽電池パネル１の機能を説明する。
外部から太陽電池モジュール５に入射した太陽光の一部は、波長変換光学板９にて５４５ｎｍの蛍光を発生し、その光（蛍光）は、波長変換光学板９内にて反射して集光され、波長変換光学板９の４５°に傾斜した斜めの端面１１に入射して反射し、波長変換光学板９の（入射側と反対側の）裏面より太陽電池７に入射する。
【００４５】
と同時に、外部から太陽電池モジュール５に入射した全反射条件の入射光（蛍光でない光）も、同様に端面１１にて反射し、太陽電池７に入射する。これらの効果により、この部分の光電変換量は向上する。
【００４６】
また、波長変換光学板９にて発生した５４５ｎｍの蛍光のうち、端面１１に入射しない光は、そのまま、太陽電池７に入射するので、光電変換量がわずかに向上する。
更に、この波長変換光学板９を構成するガラスは透明であるため、可視光から赤外光の多くは波長変換光学板９を透過し、太陽電池７に入射して光電変換される。
【００４７】
ｃ）次に、本実施例の太陽電池パネル１の製造方法について簡単に説明する。
例えば上フレーム１３の上下を逆にして配置する（例えば図１の上下を逆にする）。即ち、収容部１９の大きな開口を上にして配置する。
【００４８】
この開口した収容部１９に、太陽電池モジュール５を波長変換光学板７側を下にして格納する。これにより、波長変換光学板７の斜めの端面１１と固定部側端面２３とが当接する。
【００４９】
その後、上フレーム１３と下フレーム１５との位置を合わせてネジ１７により一体に固定する。
これにより、フレーム３の収容部１９内に太陽電池モジュール５が固定される。
【００５０】
ｄ）本実施例では、波長変換光学板９に斜めの端面１１が形成されているので、波長変換光学板９内部で波長変換され集光された光は、板端面で好適に太陽電池７側に反射し、太陽電池７に入射する。そのため、太陽電池モジュール５全体、ひいては太陽電池パネル１全体における光電変換効率が向上する。
【００５１】
しかも、本実施例では、従来の薄膜の太陽電池セルを貼り付けた太陽電池パネルではなく、簡単には折れたり曲がったりしない厚みが３ｍｍのガラス製の硬質な波長変換光学板９に太陽電池７に貼り付けた太陽電池モジュール５を配列してフレーム３に固定するので、詳しくは、上下フレーム１３、１５の間に太陽電池モジュール５を挟み、その平面方向の端部を固定部２１にて固定する構造であるので、太陽電池パネル１を低コストで容易に製造することができる。
【００５２】
特に、波長変換光学板９の斜めの端面１１と固定部２１の斜めに端面（固定部側端面２３）とが全面で当接するので、太陽電池モジュール５を容易に確実に固定することができる。
【実施例２】
【００５３】
次に、実施例２について説明するが、実施例１と同様な内容の説明は省略する。
図５（ａ）及びその要部を拡大した図５（ｂ）に示す様に、本実施例の太陽電池パネル２１は、前記実施例１と同様に、太陽電池２３及び波長変換光学板２５からなる太陽電池モジュール２７を、上フレーム２９及び下フレーム３１からなるフレーム３３によって挟んで固定したものである。
【００５４】
特に本実施例では、太陽電池２３の板厚方向の一方の側（同図上方）に形成された上側電極３５と電気的に接続される様に、波長変換光学板２５の平面方向の斜めの端面３７に導電層３９が形成されている。なお、太陽電池２３の他方の電極（下側電極４１）は、上側電極３５と反対側（同図下方）の表面に形成されている。
【００５５】
一方、上フレーム２９には、その斜めの固定部側端面４３に、波長変換光学板２５の斜めの端面３７上の導電層３９と当接するように、上フレーム導電層４５が形成されており、この上フレーム導電層４５は、下フレーム３１に達するように延設されている。
【００５６】
また、下フレーム３１の上側表面には、隣接する他の太陽電池２３の下側電極４１と当接するように、下フレーム導電層４７が形成されており、この下フレーム導電層４７は、前記上フレーム導電層４５の下端と電気的に接続されるように、平面方向（図５（ｂ）の右方）に延設されている。
【００５７】
従って、本実施例では、複数の太陽電池モジュール２７を、上フレーム２９と下フレーム３１とで挟んで固定する際に、自動的に複数の太陽電池２３を直列に接続することができる。これにより、組み立て製造が簡単になり、コストダウンに寄与するという顕著な効果を奏する。
【実施例３】
【００５８】
次に、実施例３について説明するが、実施例１と同様な内容の説明は省略する。
図５（ｃ）に示す様に、本実施例の太陽電池パネル５１は、前記実施例１と同様に、太陽電池５３及び波長変換光学板５５からなる太陽電池モジュール５７を、上フレーム５９及び下フレーム６１からなるフレーム６３によって挟んで固定したものである。
【００５９】
特に本実施例では、上フレーム５９の上面側（太陽光の入射側）には、前記波長変換光学板５５と同様な（平面方向に）斜めの端面６５を有する補助用の波長変換光学板６７が貼り付けられている。
【００６０】
この補助用の波長変換光学板６７の同図左右の端部の下面（斜めの端面６５の下方の面）は、波長変換光学板５５の上面の端部を覆うように配置されている。
従って、本実施例では、上フレーム５９側に入射した太陽光は、補助用の波長変換光学板６７内で波長変換され集光されて、波長変換光学板５５に導入されるので、太陽光を無駄なく有効に利用することができる。即ち、太陽光を利用する際の損失を少なくできる。
【実施例４】
【００６１】
次に、実施例４について説明するが、実施例１と同様な内容の説明は省略する。
図５（ｄ）に示す様に、本実施例の太陽電池パネル７１は、前記実施例１と同様な太陽電池７３及び波長変換光学板７５からなる太陽電池モジュール７７を、下フレーム７９に例えば光学接着剤によって固定したものである。
【００６２】
特に本実施例では、隣接する太陽電池モジュール７７の間に露出する下フレーム６１の表面上に、三角柱の反射部材８１を例えば接着剤によって固定している。この反射部材８１は、樹脂部材等の表面に、アルミニウムを蒸着、スパッタすることによって反射膜（アルミミラー）を形成したものである。なお、この反射部材８１は、軸方向に対して垂直の断面が三角形（例えば正三角形）の部材である。
【００６３】
従って本実施例では、太陽電池モジュール７７の間に入射した太陽光は、反射部材８１の斜面にて反射し、波長変換光学板７１の平面方向の端部側に入射するので、太陽光を無駄なく有効に利用することができる。即ち、太陽光を利用する際の損失を少なくできる。
【実施例５】
【００６４】
次に、実施例５について説明するが、実施例１と同様な内容の説明は省略する。
図６（ａ）に示す様に、本実施例の太陽電池パネル９１は、前記実施例１と同様に、太陽電池９３及び波長変換光学板９５からなる太陽電池モジュール９７を、上フレーム９９及び下フレーム１０１からなるフレーム１０３によって挟んで固定したものである。
【００６５】
特に本実施例では、下フレーム１０１の下面側に、冷却用のフィン（放熱フィン）１０５を例えば接着剤で貼り付けて固定している。よって、太陽電池９３の熱による効率低下を抑える効果がある。
【００６６】
なお、本実施例では、上フレーム９９と下フレーム１０１とは、上フレーム９９側よりネジ込まれたネジ１０７により固定されている。
【実施例６】
【００６７】
次に、実施例６について説明するが、実施例５と同様な内容の説明は省略する。
図６（ｂ）に示す様に、本実施例の太陽電池パネル１１１は、前記実施例５と同様に、太陽電池１１３及び波長変換光学板１１５からなる太陽電池モジュール１１７を、上フレーム１１９及び下フレーム１２１からなるフレーム１２３によって挟んで固定したものである。
【００６８】
特に本実施例では、下フレーム１２１の下面側に、例えば接着剤で貼り付けた例えばＢｉＴｅ等からなる熱電素子１２５を備えるとともに、更に熱電素子１２５の下面側に、例えば接着剤で貼り付けた冷却用のフィン（放熱フィン）１２７を備えている。
【００６９】
よって、前記実施例５の効果を奏するとともに、熱によっても発電を行うことができるので、太陽光のエネルギーを更に有効に利用できる。
【実施例７】
【００７０】
次に、実施例７について説明するが、実施例１と同様な内容の説明は省略する。
図６（ｃ）に示す様に、本実施例の太陽電池パネル１３１は、前記実施例１と同様に、太陽電池１３３及び波長変換光学板１３５からなる太陽電池モジュール１３７を、上フレーム１３９及び下フレーム１４１からなるフレーム１４３によって挟んで固定したものである。
【００７１】
特に本実施例では、太陽電池モジュール１３７及び上フレーム１４１を、例えば（塩化ビニール）からなる透光性の樹脂シート（又は樹脂板）１４５で覆い、その外側（同図の下側）から下フレーム１４１を上フレーム１３９に固定したものである。
【００７２】
これにより、湿度の影響を抑制できるとともに、塵等の汚れを防ぐことができる。
【実施例８】
【００７３】
次に、実施例８について説明するが、実施例１と同様な内容の説明は省略する。
図６（ｄ）に示す様に、本実施例の太陽電池パネル１５１は、前記実施例１と同様に、太陽電池１５３及び波長変換光学板１５５からなる太陽電池モジュール１５７を、上フレーム１５９及び下フレーム１６１からなるフレーム１６３によって挟んで固定したものである。
【００７４】
特に本実施例では、各太陽電池モジュール１５７を、例えば（塩化ビニール）からなる樹脂シート（又は樹脂板）１６５で覆い、それらを下フレーム１５９と上フレーム１６１とで固定している。
【００７５】
これにより、湿度の影響を抑制できるとともに、塵等の汚れを防ぐことができる。
なお、以上、本発明の実施例について説明したが、本発明は上記の具体的な実施例に限定されず、本発明の範囲内でこの他にも種々の形態で実施することができる。
【００７６】
例えば太陽光以外の光も利用可能である。
【符号の説明】
【００７７】
１、２１、６１、７１、９１、１１１、１３１、１５１…太陽電池パネル
３、１３、６３、１０３、１２３、１４３、１６３…フレーム
５、２７、５７、７７、９７、１１７、１３７、１５７…太陽電池モジュール
７、２３、５３、７３、９３，１１３、１３３、１５３…太陽電池
９、２５、５５、６７、７５、９５、１１５、１３５、１５５…波長変換光学板
１１、３７、６５…端面
１３、２９、５９、９９、１１９、１３９、１５９…上フレーム
１５、３１、６１、７９、１０１、１２１、１４１、１６１…下フレーム
１９…収容部
２１…固定部
８１…反射部材
【図１】
2011165756.tif 000003
【図２】
2011165756.tif 000004
【図３】
2011165756.tif 000005
【図４】
2011165756.tif 000006
【図５】
2011165756.tif 000007
【図６】
2011165756.tif 000008